(57)【要約】【課題】  水中に残る残留塩素を効率的に除去し、貯水槽（高置水槽）から給水される水の酸化還元電位を低くして、飲料水として美味で、且つ、雑菌の繁殖を抑えた水を給水できる給水浄化装置の実現を目的とする。【解決手段】  集合住宅や高層ビル２０などに設けられた受水槽１や貯水槽（高置水槽）５から供給される水を浄化する給水浄化装置において、できるだけ電気分解や薬剤投与などの直接的手段によらず、自然界と類似した方法で給水の酸化還元電位を低下させる浄化手段６ａ、６ｂ、６ｃを設けたことを特徴とする。【選択図】            図１
0003106578.tif 000002
【実用新案登録請求の範囲】
【請求項１】
集合住宅や高層ビルなどに設けられた受水槽または貯水槽（高置水槽）から供給される水を浄化する給水浄化装置において、
できるだけ電気分解や薬剤投与などの直接的手段によらず、自然界と類似した方法で給水の酸化還元電位を低下させる浄化手段を具備することを特徴とする給水浄化装置。
【請求項２】
前記浄化手段は前記受水槽または貯水槽（高置水槽）の給水口に設けられることを特徴とする請求項１に記載の給水浄化装置。
【請求項３】
前記浄化手段は前記受水槽または貯水槽（高置水槽）の循環路に設けられることを特徴とする請求項１に記載の給水浄化装置。
【請求項４】
前記浄化手段は、セラミックやミネラルを用いた還元水生成手段であることを特徴とする請求項１乃至請求項３のいずれかに記載の給水浄化装置。
【請求項５】
前記浄化手段は、水分子同士に繰り返し衝突を引き起こさせる水分子衝突励起手段であることを特徴とする請求項１乃至請求項３のいずれかに記載の給水浄化装置。
【考案の詳細な説明】
【技術分野】
【０００１】
本考案は、給水浄化装置に関し、特に集合住宅やオフィスビルなどの貯水槽（高置水槽）から供給される水の給水浄化装置に関する。
【背景技術】
【０００２】
近年、飲み水の安全性に対する社会の関心が急速に高まっており、家庭用の浄水器やいわゆるペットボトル水がよく売れているなど、個人が自分の飲む水に対して費用を支払うことを惜しまなくなって来ている。しかしながら、集合住宅や高層ビルなどの受水槽、貯水槽（高置水槽）や給水設備についての衛生管理は、従来はさほど厳しく行われていなかった。このため、受水槽、貯水槽（高置水槽）内に落葉やごみが入って溜まったり、藻などが発生したり、さびが発生したり、ねずみや小鳥、蛇など小動物が入り込んでその死骸が残ったり、有害な大腸菌やレジオネラ属菌やその他の雑菌が繁殖したりし、これにより、さび臭、かび臭などの異臭味がして水の味が落ちると共に衛生的にも好ましくなく、飲料水として危険が一杯であった。又給水設備においても、給水パイプが長くなると、さびが発生しやすく、ぬめりが生まれやすくなり、これも水の味を落とす原因になると共に、衛生的な問題に繋がる危険がある。
【０００３】
このような問題に対して、需要者の蛇口の近くに残留塩素測定用検知器を設置して塩素濃度を常時計測し、測定データを水道水水質安全監視センターに送って必要な場合には対策をとらせるという監視システムが報告されている（特許文献１参照。）。
しかしながら、この方法はあくまで残留塩素濃度を監視し、濃度が低くなった場合には塩素を発生する薬剤を投入するという方式であるため、細菌の繁殖を抑えることはできるものの、薬剤投入直後には塩素（カルキ）臭が高く、水の味が悪くなるという問題がある。さらに、有機質やアンモニヤなどが含まれる富栄養化した水や、藻類などが発生した水に塩素を投入すると、発がん物質であるトリハロメタンが発生しやすくなるという危険がある。
【特許文献１】特開平５−１０４０８２号公報
【考案の開示】
【考案が解決しようとする課題】
【０００４】
このように、従来の集合住宅や高層ビルなどにおける給水装置は衛生面でも水の味や質においても問題が多く、衛生面を解決するために残留塩素濃度を調整する方法では、トリハロメタンの問題が残るという欠点があった。
【０００５】
本発明は、浄水形のミネラル還元水生成手段を用いることによってこのような問題を解決し、水中に残る残留塩素を効率的に除去し、貯水槽（高置水槽）から給水される水の酸化還元電位を低くして、飲料水として美味で、且つ、雑菌の繁殖を抑えた衛生面で優れた水を給水できる給水浄化装置の実現を課題とする。
【課題を解決するための手段】
【０００６】
上記課題を解決するため、本考案の請求項１は、集合住宅や高層ビルなどに設けられた受水槽や貯水槽（高置水槽）から供給される水を浄化する給水浄化装置において、できるだけ電気分解や薬剤投与などの直接的手段によらず、自然界と類似した方法で給水の酸化還元電位を低下させる浄化手段を具備することを特徴とする。
【０００７】
上記課題を解決するため、本考案の請求項２は、請求項１に記載の考案において、前記浄化手段は前記受水槽または貯水槽（高置水槽）の給水口に設けられることを特徴とする。
【０００８】
上記課題を解決するため、本考案の請求項３は、請求項１に記載の考案において、前記浄化手段は前記受水槽または貯水槽（高置水槽）の循環路に設けられることを特徴とする。
【０００９】
上記課題を解決するため、本考案の請求項４は、請求項１乃至請求項３のいずれかに記載の考案において、前記浄化手段は、セラミックやミネラルを用いた還元水生成手段であることを特徴とする。
【００１０】
上記課題を解決するため、本考案の請求項５は、請求項１乃至請求項３のいずれかに記載の考案において、前記浄化手段は、水分子同士に繰り返し衝突を引き起こさせる水分子衝突励起手段であることを特徴とする。
【考案の効果】
【００１１】
本考案の請求項１においては、自然界と類似した方法によって酸化還元電位を低下させて水質を浄化させるようにしているので、残留塩素が除去され、水質が維持され、匂いや濁りがなくなり、おいしい水が提供できると共に、細菌や藻類などのの発生を抑えることができる。
【００１２】
本考案の請求項２においては、浄化手段を受水槽または貯水槽（高置水槽）の出口の給水口に設けるようにしているので、比較的小型に装置を構成することができる。
【００１３】
本考案の請求項３においては、浄化手段を受水槽または貯水槽（高置水槽）の巡回路に設けるようにしたので、貯水した水に繰り返し浄水処理を行って、より安全で美味な水をえることができる。
【００１４】
本考案の請求項４においては、浄化手段がセラッミクやミネラルを用いた還元水浄化手段であるので、塩素を除去し、マイナスイオンを発生し、人体に有害な物質を吸収し、最近や藻類の発生を抑える効果があり、一度設備すると時々乾燥させて清掃するだけで、半永久的に使用することができる。
【００１５】
本考案の請求項５においては、浄化手段が水分子同士に繰り返し衝突を引き起こさせる水分子衝突励起手段であるので、塩素および塩素臭を発散させる効果があり、さらに水分子のクラスタを細分化させ、浸透性の高い水を作り上げる効果がある。
【考案を実施するための最良の形態】
【００１６】
以下本考案を図面を参照にして説明する。
図１は、本考案の給水浄化装置の一実施の形態が設備された集合住宅やオフィスビルなどの給水設備の概略構成図である。図１において、符号１は受水槽、符号２は揚水ポンプ、符号３は上水道給水管、符号４は止水栓、符号５は貯水槽（高置水槽）、符号６ａ、６ｂ、６ｃは浄化手段、符号７は循環ポンプ、符号８は各戸メータ、符号９は各戸給水管、符号１０は揚水管、符号１１は給水管、符号２０は集合住宅またはビルである。受水槽１や貯水槽（高置水槽）５はガラス繊維で補強したプラスチックであるＦＲＰ（Fiber Reinforced Plastic）で軽量で丈夫に形成されている。
【００１７】
上水道給水管３からの水道水は、止水栓４を介して受水槽１に給水されて一旦貯水され、揚水ポンプ２の働きで、揚水管１０を汲み上げられて集合住宅またはビル２０の上部や屋上にある貯水槽（高置水槽）５に貯められる。
本考案の浄化手段６は、図１の符号６aのように貯水槽（高置水槽）５の入口側に設けても良いし、符号６ｂのように貯水槽（高置水槽）５の出口側に設けても良いし、又、符号６ｃのように貯水槽（高置水槽）５の水を循環ポンプ７の作用で循環させる循環路に設けても良い。さらに、６ａ〜６ｃのうちのいずれか１種類でも、任意の２種類設けても、また３種類すべてを設けても良い。
貯水槽（高置水槽）５の入口側に設けると、汲み上げたばかりの水を浄化することができるし、貯水槽（高置水槽）５の出口側に設けると、給水する直前の水を浄化することができる。又、循環路に設けると貯水槽（高置水槽）５に貯蔵されている水を繰り返し浄化することができる。
こうして、浄化手段６で浄化された水は給水管１１から各戸メータ８を経て各戸給水管９に給水される。このような構成としたので、貯水槽（高置水槽）５から各戸給水管９に供給される水は、一度は浄化手段６を経て浄化された水となる。
【００１８】
ここで、浄水手段６について触れておく。本考案に用いられる浄化手段６は、電気分解や薬剤投入などの直接方法に頼らず、できるだけ自然界と類似した方法によって酸化還元電位を低下させて浄化を行う方法を採用している。
セラミックやミネラルを用いた還元水生成手段がその一例である。これに用いられるセラミックとしては、例えば、マイナスイオンセラミック、ゲルマニュウムセラミック、麦飯石ないしはそれを含むセラミック、トルマリンないしはそれを含むセラミックなどがある。
【００１９】
マイナスイオンセラミックは、マイナスイオンを発生する鉱石を含んだセラミックで、発生されたマイナスイオンは副交感神経に作用して、血液を浄化し、新陳代謝を促し、身体の抵抗力を増し、身体をリラックスさせ、自律神経のバランスを調整して、不眠、頭痛、冷え性、肩こりなどを改善する働きがある。
ゲルマニュウムセラミックに作用された水は、体内の汚染物質や毒素を無毒化して排除し、新陳代謝を促進する作用がある。
麦飯石ないしはそれを含むセラミックは、麦飯石表面に開いている無数の穴で細菌、塩素、アンモニアなど人体に有害な物質を吸収、除去すると共に、カルシウム、マグネシウム、ナトリウム、カリウムなどのミネラルを水中に補う作用を有している。さらに、麦飯石はジルコンを多量に含んでいて、ジルコンには遠赤外線を放射する働きがあるため、水のクラスタを細分化し吸収し易くおいしい水を作る力がある。
トルマリンは、その結晶の両端にプラスとマイナスの極を持つ構成のため、マイナス電極からマイナスイオンをプラス電極に出し続け、微小電流を流し続ける。この効果により、トルマリンないしはそれを含むセラミックはマイナスイオン、遠赤外線を絶えず発生して水を活性化し、得られた水は、身体細胞を活性化し新陳代謝を活発にする。
浄化手段６では、フィルタで濾過した水をこれらのセラミックやミネラルに触れるようにしており、これらのセラミックと水との摩擦によって発生するマイナスイオンによって、水の酸化還元電位が自然に低下して還元力の強い水が得られ、さらに、水分子のクラスタが細分化され、水中の残留塩素が除去される。
又、水を繰り返し高所から落下させるなどの方法で、水分子同士に繰り返し衝突を引き起こさせることによっても、水をマイナスイオン化させて、水の酸化還元電位を低下させることができる。
【００２０】
このようにして得られた酸化還元電位の低い水を飲料水として用いると、生体の酸化を食い止め、体内の活性酸素を除去することができる。また、皮膚からの吸収が良く洗顔や化粧用の水として適している。さらに、料理に用いて食品や茶、コーヒーなどの自然の味を引き立てる効果がある。
【産業上の利用可能性】
【００２１】
本考案の給水浄化装置は以上のように構成したので、集合住宅や高層ビルなどの給水設備に設置して、絶えず水を浄化し続け、安全で美味な水を提供することができる。さらに、魚介類の養殖、化粧品、染色、食品加工、畜産、農耕、園芸、浴場、プール、医療など広い分野にも応用できる。従って、産業の広い分野で利用の可能性が大きい。  
【図面の簡単な説明】
【００２２】
【図１】本考案の給水浄化装置が設備された集合住宅やオフィスビルなどの給水設備の概略構成図である。
【符号の説明】
【００２３】
１    受水槽
２    揚水ポンプ
３    上水道給水管
４    止水栓
５    貯水槽（高置水槽）
６、６ａ、６ｂ、６ｃ    浄化手段
７    循環ポンプ
８    各戸メータ
９    各戸給水管
１０  揚水管
１１  給水管
２０  集合住宅またはビル
【図１】
0003106578.tif 000003